(57)【要約】【課題】  符号変換機能と符号固定機能との両者の機能を備えると共に、その両機能を簡単な構成のもとには切り換えることが可能なダイヤル錠装置を提供すること。【解決手段】  ダイヤルリング１０と作動軸１１との中間に設けた複数のクラッチ１５を中継ブッシュ１７と共に操作部３におけるシフトドラム１３に関係なく強制的に後退させることができる手動の切換用操作体２５を進退可能に設けるほか、この切換用操作体２５と中継ブッシュ１７とを直動カム機構により関連させ、以って簡単な構成のもとに、切換用操作体２５に対する進退操作により、符号変換機能と符号固定機能との両機能を選択的には切り換えることができるようにしたことを主要特徴とする。【選択図】図３
2010048072.tif 000002
【特許請求の範囲】
【請求項１】
ロッカー等の扉に取り付けて、ダイヤル錠部における操作部に対する操作により、掛止片を駆動してロッカー本体の固定受部に係脱すると共に、ダイヤルリングにより解錠符号を設定した後に、操作部を操作して施錠するほか、解錠に際してはダイヤルリングを解錠符号に復元して操作部を解錠方向に操作することにより掛止片を固定受部から離脱するようにし、更に操作部にはシリンダ錠機構とこのシリンダ錠機構用の非常鍵挿入のための鍵孔を設け、ダイヤルリングによる解錠符号の復元とは無関係に非常鍵により解錠することができるようにし、
かつ、ダイヤルリングの内方には作動軸を回転不能に支承したまま常時操作部方向へ付勢した状態に摺動可能に設けると共に、各ダイヤルリングと作動軸との間には軸線方向への摺動により係脱するクラッチを各別に設け、かつクラッチ列の最先端部には中継ブッシュを設けてこれらクラッチと中継ブッシュとを常時操作部方向へ付勢し、作動軸と中継ブッシュとを操作部におけるカム面により各別に進退させて作動軸とクラッチとの係脱およびクラッチとダイヤルリングとの係脱を行うようにした型式のダイヤル錠装置であって、
前記中継ブッシュ（１７）をシフトドラム（１３）のカム面により後退させた場合、各クラッチ（１５）と各ダイヤルリング（１０）とが係合するように構成し、かつ中継ブッシュ（１７）には受動部（２２）を設けるほか、受動部（２２）に近い背部に中継ブッシュ（１７）の軸線とほぼ直交するすべり軸受（２３）を設けると共に、このすべり軸受（２３）には先端に駆動端（２４）がある切換用操作体（２５）を、その駆動端（２４）が受動部（２２）に対応する状態のもとに進退可能に設け、かつ前記駆動端（２４）と受動部（２２）との対接面の少なくとも一方を斜面に形成し、これら切換用操作体（２５）と中継ブッシュ（１７）の受動部（２２）とにより直動カム機構を構成し、切換用操作体（２５）の進退動に基づいて直動カム機構により中継ブッシュ（１７）および各クラッチ（１５）を後退または進出させ、解錠符号の変換が不可能な符号固定型と解錠符号の変換が可能な符号変換型との切換えができるようにしたダイヤル錠装置。
【請求項２】
切換用操作体（２５）の背部に押し引き型の押しボタン（２６）を設けると共に、背部寄りにはばねの付勢によりすべり軸受（２３）における阻止部（２８）に係合する係合片（２７）を設け、この係合片（２７）の係合により切換用操作体（２５）を後退した位置に拘束する拘束機構を設けた請求項１に記載のダイヤル錠装置。
【請求項３】
切換用操作体（２５）にばね性を有する舌状の係合片（２７）を常時突出し易い傾向に成形により設け、この係合片（２７）をすべり軸受（２３）における阻止部（２８）に係合するようにした拘束機構を採択した請求項２に記載のダイヤル錠装置。
【請求項４】
ダイヤルリング（１０）と作動軸（１１）との中間に設けるクラッチ（１５）が解錠状態にある位置のクラッチ（１５）の外周面に探索用の表示（３３）を設けると共に、表示（３３）の正面付近には表側から表示（３３）の目視に適応する表出部（３４）を開設し、かつ表出部（３４）には操作部（３）に対する非常鍵による操作に関連して解除される遮蔽手段を設け、この遮蔽手段としては各クラッチ（１５）における表示（３３）の前面を覆うことができるシャッタ板（３５ａ）と受動部（３７）とを有するシャッタ（３５）をケース（５）のフロントカバー（５ｂ）の背面部においてそのシャッタ板（３５ａ）部分が表出部（３４）の背後において進退動することができるように設けると共に、操作部（３）における駆動腕（３６）とシャッタ（３５）との中間に、受動部（３７）と傾斜溝（４１）または傾斜長孔とにより構成される直動カム機構を採択した連動装置を介設し、操作部（３）に対する非常鍵による操作に関連して遮蔽を解除するようにした請求項１ないし請求項３に記載のいずれか１のダイヤル錠装置。
【請求項５】
ダイヤルリング（１０）と作動軸（１１）との中間に設けるクラッチ（１５）が解錠状態にある位置のクラッチ（１５）の外周面に探索用の表示（３３）を設けると共に、表示（３３）の正面付近には表側から表示（３３）の目視に適応する表出部（３４）を開設し、かつ表出部（３４）には操作部（３）に対する非常鍵による操作に関連して解除される遮蔽手段を設け、この遮蔽手段としては各クラッチ（１５）における表示（３３）の前面を覆うことができるシャッタ板（３５ａ）と受動部（４２）とを有するシャッタ（３５）をケース（５）内においてそのシャッタ板（３５ａ）部分が表出部（３４）の背後において進退動することができるよう旋回可能に設けると共に、操作部（３）における駆動腕（３６）の旋回範囲に受動部（４２）を配置し、駆動腕（３６）により受動部（４２）を押動してシャッタ板（３５ａ）による遮蔽を解除するようにした請求項１ないし請求項３に記載のいずれか１のダイヤル錠装置。
【発明の詳細な説明】
【技術分野】
【０００１】  本発明は、不特定多数の使用者が利用するロッカー等に装備するダイヤル錠装置に関するものであり、特に使用者が解錠符号を任意に変換して使用することができる自由変換機能と、解錠符号を変換することができない状態で使用する固定機能との両者の機能を備えると共に、その両者の機能を必要に応じて何れか一方に切換えることが可能なダイヤル錠装置に関するものである。
【背景技術】
【０００２】  ダイヤル錠を装備するロッカー等は、利用者による鍵の紛失の虞がない関係上、レジャー施設その他において広く使用されている。ダイヤル錠としては、大別して、製造段階に予め解錠符号（解錠番号）が定められた固定型と、利用者により解錠符号を任意に変換することができる自由変換型と、自由変換型を必要に応じて固定型に切換えることが可能な変換切換型／固定とがある。不特定多数の利用者が使用するロッカーにおいては自由変換型が好都合であり、また特定の利用者が使用するロッカーにおいては固定型が望ましい。【０００３】  しかし不特定多数の利用者が使用するロッカー施設であっても、限られた一部分の区画については、特定の利用者が専用として使用するように指定する場合があり、そのような場合には、一部分のロッカーを固定型に切り換えて使用するのが便利である。【０００４】  上記要望に即応する錠装置として、使用者が解錠符号を任意に変換して使用することができる符号変換機能と、解錠符号を変換することができない状態で使用する符号固定機能との両者の機能を備えると共に、その両者の機能を必要に応じて切り換えることが可能なダイヤル錠装置は公知である。（特許文献１）【０００５】
【特許文献１】  特許第３３５８０８２号公報
【発明の開示】
【発明が解決しようとする課題】
【０００６】  しかしながら、前記特許文献１に記載のダイヤル錠装置においては、構造が著しく複雑であり、製造コストが高価であるばかりでなく、故障し易い欠点がある。【０００７】  そこで本発明の目的は、符号変換機能と符号固定機能との両者の機能を備えると共に、その両機能を簡単な構成のもとに切り換えることが可能なダイヤル錠装置を提供することにあり、他の目的は、閉扉状態においても目視による解錠符号の探索が可能なダイヤル錠装置を提供することにある。
【課題を解決するための手段】
【０００８】  上記目的を達成するため、請求項記載の発明は、ダイヤルリングと作動軸との中間に設けた複数のクラッチをそれらクラッチの最先部に介設した中継ブッシュと共に操作部におけるシフトドラムに関係なく強制的に後退させることができる手動の切換用操作体を設けて、簡単な構成のもとに、切換用操作体の進退操作により、符号変換機能と符号固定機能との両機能を選択的には切り換えることがようにしたことを主要特徴とするものである。【０００９】  請求項１の発明は、ロッカー等の扉に取り付けて、ダイヤル錠部における操作部に対する操作により、掛止片を駆動してロッカー本体の固定受部に係脱すると共に、ダイヤルリングにより解錠符号を設定した後に、操作部を操作して施錠するほか、解錠に際してはダイヤルリングを解錠符号に復元して操作部を解錠方向に操作することにより掛止片を固定受部から離脱するようにし、更に操作部にはシリンダ錠機構とこのシリンダ錠機構用の非常鍵挿入のための鍵孔を設け、ダイヤルリングによる解錠符号の復元とは無関係に非常鍵により解錠することができるようにし、かつ、ダイヤルリングの内方には作動軸を回転不能に支承したまま常時操作部方向へ付勢した状態に摺動可能に設けると共に、各ダイヤルリングと作動軸との間には軸線方向への摺動により係脱するクラッチを各別に設け、かつクラッチ列の最先端部には中継ブッシュ設けてこれらクラッチと中継ブッシュとを常時操作部方向へ付勢し、作動軸と中継ブッシュとを操作部におけるカム面により各別に進退させて作動軸とクラッチとの係脱およびクラッチとダイヤルリングとの係脱を行うようにした型式のダイヤル錠装置であって、前記中継ブッシュをシフトドラムのカム面により後退させた場合、各クラッチと各ダイヤルリングとが係合するように構成し、かつ中継ブッシュには受動部を設けるほか、受動部に近い背部に中継ブッシュの軸線とほぼ直交するすべり軸受を設けると共に、このすべり軸受には先端に駆動端がある切換用操作体を、その駆動端が受動部に対応する状態のもとに進退可能に設け、かつ前記駆動端と受動部との対接面の少なくとも一方を斜面に形成し、これら切換用操作体と中継ブッシュの受動部とにより直動カム機構を構成し、切換用操作体の進退動に基づいて直動カム機構により中継ブッシュおよび各クラッチを後退または進出させ、解錠符号の変換が不可能な符号固定型と解錠符号の変換が可能な符号変換型との切換えができるようにしたダイヤル錠装置である。【００１０】  請求項２の発明は、切換用操作体の背部に押し引き型の押しボタンを設けると共に、背部寄りにはばねの付勢によりすべり軸受における阻止部に係合する係合片を設け、この係合片の係合により切換用操作体を後退した位置に拘束する拘束機構を設けた請求項１に記載のダイヤル錠装置である。【００１１】  請求項３の発明は、切換用操作体にばね性を有する舌状の係合片を常時突出し易い傾向に成形により設け、この係合片をすべり軸受における阻止部に係合するようにした拘束機構を採択した請求項２に記載のダイヤル錠装置である。【００１２】  請求項４の発明は、ダイヤルリングと作動軸との中間に設けるクラッチが解錠状態にある位置のクラッチの外周面に探索用の表��を設けると共に、表示の正面付近には表側から表示の目視に適応する表出部を開設し、かつ表出部には操作部に対する非常鍵による操作に関連して解除される遮蔽手段を設け、この遮蔽手段としては各クラッチにおける表示の前面を覆うことができるシャッタ板と受動部とを有するシャッタをケースのフロントカバーの背面部においてそのシャッタ板部分が表出部の背後において進退動することができるように設けると共に、操作部における駆動腕とシャッタとの中間に、受動部と傾斜溝または傾斜長孔とにより構成される直動カム機構を採択した連動装置を介設し、操作部に対する非常鍵による操作に関連して遮蔽を解除するようにした請求項１ないし請求項３に記載のいずれか１のダイヤル錠装置である。【００１３】  請求項５の発明は、ダイヤルリングと作動軸との中間に設けるクラッチが解錠状態にある位置のクラッチの外周面に探索用の表示を設けると共に、表示の正面付近には表側から表示の目視に適応する表出部を開設し、かつ表出部には操作部に対する非常鍵による操作に関連して解除される遮蔽手段を設け、この遮蔽手段としては各クラッチにおける表示の前面を覆うことができるシャッタ板と受動部とを有するシャッタをケース内においてそのシャッタ板部分が表出部の背後において進退動することができるよう旋回可能に設けると共に、操作部における駆動腕の旋回範囲に受動部を配置し、駆動腕により受動部を押動してシャッタ板による遮蔽を解除するようにした請求項１ないし請求項３に記載のいずれか１のダイヤル錠装置である。
【発明の効果】
【００１４】  請求項１の発明によれば、中継ブッシュ１７に受動部２２を設けるほか、この受動部２２に近い背部に中継ブッシュ１７の軸線とほぼ直交する状態のもとに、先端に駆動端２４がある切換用操作体２５をその駆動端２４が受動部２２に対応するように進退可能に設けると共に、これら切換用操作体２５と中継ブッシュ１７の受動部２２とにより直動カム機構を構成し、切換用操作体２５の進退動に基づいて中継ブッシュ１７および各クラッチ１５を後退または進出させるようにしたから、著しく簡単な構造のもとに、解錠符号の変換が不可能な符号固定型と解錠符号の変換が可能な符号変換型との切換えを容易に行うことができる。【００１５】  請求項２の発明によれば、切換用操作体２５の背部に押し引き型の押しボタン２６を設けると共に、背部寄りには切換用操作体２５が後退位置において拘束状態となる拘束機構を付設したから、これにより切り換え操作が容易であるほか、突出状態の押しボタン２６に対する不用意な押圧があっても、誤操作による切り換えを防止することができる。【００１６】  請求項３の発明によれば、切換用操作体２５にばね性を有する舌状の係合片２７を常時突出し易い傾向に成形により設け、この係合片２７をすべり軸受２３における阻止部２８に係合するようにしたから、著しく簡単な構造のもとに、切換用操作体２５を引き出すだけで係合片２７を阻止部２８に係合させ、また係合片２７に対する手指による押圧により係合を解除することができる。【００１７】  請求項４の発明によれば、クラッチ１５が解錠状態にある位置の外周面に探索用の表示３３を設けると共に、表側に表示３３の目視に適応する表出部３４を開設し、かつ表出部３４には操作部３に対する非常鍵による操作に関連して解除される遮蔽手段を設け、この遮蔽手段としてクラッチ１５における表示３３の前面を覆うことができるシャッタ板３５ａと受動部３７とを有するシャッタ３５をケース５のフロントカバー５ｂの背面部においてそのシャッタ板３５ａ部分が進退動することができるように設けると共に、操作部３における駆動腕３６とシャッタ３５との中間に、受動部３７と傾斜溝４１または傾斜長孔とにより構成される直動カム機構を採択した連動装置を介設し、操作部３に対する非常鍵による操作に関連して連動装置の介在のもとに遮蔽が解除されるようにしたから、簡単な構造の装備に拘わらず、閉扉状態においても解錠符号の探索作業を容易に行うことができ、しかも解錠符号を確実に目視できる。【００１８】  請求項５の発明によれば、クラッチ１５が解錠状態にある位置の外周面に探索用の表示３３を設けると共に、表側に表示３３の目視に適応する表出部３４を開設し、かつ表出部３４には操作部３に対する非常鍵による操作に関連して解除される遮蔽手段を設け、この遮蔽手段としては各クラッチ１５における表示３３の前面を覆うことができるシャッタ板３５ａと受動部４２とを有するシャッタ３５をケース５内においてそのシャッタ板３５ａ部分が表出部３４の背後において進退動することができるように旋回可能に設けると共に、操作部３における駆動腕３６の旋回範囲に受動部４２を配置し、駆動腕３６により受動部４２を押動してシャッタ板３５ａによる遮蔽を��除するようにしたから、著しく簡単な構造の装備に拘わらず、閉扉状態においても解錠符号の探索作業を容易に行うことができ、しかも解錠符号を確実に目視できる。
【発明を実施するための最良の形態】
【００１９】  以下、本発明を添付図に例示する錠装置の実施形態について説明するが、本発明の適用対象としてのダイヤル錠装置としては、例えば図１ないし図４および図６に示す型式を採択する。【００２０】  図１ないし図４および図６に示すダイヤル錠装置は、大体において、右半部に手掛部１と左半部にダイヤル錠部２を設けたほぼ直方体箱状を呈し、ロッカーＬ等の扉Ｄに取り付けて、ダイヤル錠部２における操作部３に対する回動操作に伴い、掛止片４を正逆旋回させてロッカーＬの本体における固定受部Ｓに係脱するようにする。ダイヤル錠部２は、手掛付主ケース５ａとフロントカバー５ｂとからなるケース５のフロントカバー５ｂ側の半部に装着し、フロントカバー５ｂの上端寄り表部に形成した開口６から操作部３を突設してこの操作部３の後端に前記掛止片４を連結するほか、操作部３の前端には手指による回動に適応する摘み７を設け、この摘み７の一定角度範囲の旋回動により施錠および解錠操作をするようにする。摘み７には非常鍵を挿入するための鍵孔８を設けるほか、操作部３の内部にシリンダ錠機構を設け、利用者が設定した解錠符号を忘れた場合に、管理者により非常鍵を使用して解錠することができるようにする。フロントカバー５ｂには４個の通孔９を列設して、内方に回転自在に配設する４個のダイヤルリング１０の一部を露出させて手指による回動操作のもとに、外周面に設けた０〜９等の符号を選択することができるようにし、ダイヤルリング１０の回動操作による解錠符号の設定および復元により施錠および解錠するようにする。なお図示を省略しているが、ダイヤルリング１０の符号が安定的に正面を向くことができるように、ダイヤルリング１０側の切欠とこの切欠に係入するばね片とからなる位置決め構造を付設する。【００２１】  ダイヤルリング１０の内周一側端部寄りにクラッチ歯１０ａを設けると共に、内方には作動軸１１を全数のダイヤルリング１０と同一軸線関係のもとに、後述の中継ブッシュと軸受部材とにより回転不能に支承したまま、軸線方向に適度に摺動が許容される状態に設け、かつ作動軸１１の後端部にはコイルばね１２を付設してこのコイルばね１２の付勢により前端部をシリンダ錠機構におけるシフトドラム１３のカム面に常時圧接する進出傾向に保つようにする。作動軸１１の外周にはキー片１４を突設し、かつ別に一側端寄りの外周と内周とにそれぞれダイヤルリング１０のクラッチ歯１０ａに対応するクラッチ歯１５ａと作動軸１１のキー片１４に対応するキー溝１５ｂとがあるほか、キー片１４の係合を回避するための逃げ部１６を設けた４個の短筒状のクラッチ１５を前記作動軸１１の外周に摺動可能に緩嵌する。【００２２】  作動軸１１はこれを主ケース５ａにおけるシリンダ錠機構寄りに軸線方向に適度に摺動可能で回転不能に設けられた前方の中継ブッシュ１７と、後端寄りに固設された軸受部材１８とにより支承し、軸受部材１８と作動軸１１とはスプライン状態に緩嵌する。作動軸１１の後端寄り部分には鍔付ブッシュ１９を緩嵌して軸受部材１８との間にコイルばね２０を介設し、このコイルばね２０により各クラッチ１５をダイヤルリング１０との係合が離脱する方向に付勢し、かつ軸受部材１８と作動軸１１の段���との間に前記コイルばね１２を介設する。中継ブッシュ１７は全クラッチ１５を介してコイルばね２０によりシリンダ錠機構におけるシフトドラム１３のカム面に常時圧接する傾向に保つ。【００２３】  シフトドラム１３のカム面には、図６に示すように、ほぼ台形の谷部２１ａ，２１ｂを９０度の角度間隔のもとに形成し、図６（ｂ）のように谷部２１ａが作動軸１１および中継ブッシュ１７に対接する状態において、作動軸１１および中継ブッシュ１７をコイルばね１２およびコイルばね２０による各別な付勢により谷部２１ａに進出させ、これにより各クラッチ１５におけるクラッチ歯１５ａと各ダイヤルリング１０におけるクラッチ歯１０ａとは離脱し、全てのダイヤルリング１０は回転が自由となり、解錠符号を設定することができる。解錠符号を設定した後、摘み７に対する操作のもとにシフトドラム１３を反時計方向に９０度旋回させることにより、図６（ａ）のように、掛止片４をロッカーＬの固定受部Ｓに係合させると共に、中継ブッシュ１７を谷部２１ｂに係合させることなく、作動軸１１だけを谷部２１ｂに進出係合させ、これにより各クラッチ１５を各ダイヤルリング１０に係合させると同時に、各クラッチ１５のキー溝１５ｂを作動軸１１におけるキー片１４から離脱させるようにする。その後ダイヤルリング１０をクラッチ１５と係合した状態のもとに任意に回転させて符号列を乱して施錠が完了する。この状態でキー片１４といずれかのダイヤルリング１０のキー溝１５ｂとは符合していない。【００２４】  解錠に際しては、ダイヤルリング１０を設定時の施錠符号に復元することにより、作動軸１１におけるキー片１４とクラッチ１５におけるキー溝１５ｂとを合致させた状態のもとに、摘み７に対する操作により作動軸１１を後退させつつシフトドラム１３を時計方向に９０度旋回させ、これに伴い掛止片４をロッカーＬの本体における固定受部Ｓから旋回離脱させて解錠することができる。【００２５】  また、符号列を忘れた場合等の非常時に際し、管理人等により非常鍵を使用して解錠することができるように構成しており、即ち、摘み７に設けた鍵孔８に非常鍵を挿入してシリンダ錠機構におけるタンブラによるシフトドラム１３の係合を解除した状態のもとに、シフトドラム１３に関係なく掛止片４を旋回して解錠することができるようにする。【００２６】  上記構成は、従来のこの種のダイヤル錠装置における構成と性質的に大差はない。上記構成に対する本発明の特殊構成としては、図３ないし図５に詳示するように、中継ブッシュ１７の両側に鍔状の受動部２２を設けるほか、この受動部２２に近い背部に中継ブッシュ１７の軸線とほぼ直交するすべり軸受２３を設けると共に、このすべり軸受２３には先端寄りに二股の駆動端２４がある切換用操作体２５をその駆動端２４が前記受動部２２に対応する状態のもとに進退可能に設け、かつ前記駆動端２４と受動部２２との対接部の少なくとも一方を斜面に形成し、これら操作体２５の駆動端２４と中継ブッシュ１７の受動部２２とにより直動カム機構を構成し、切換用操作体２５の進退動に基づいて直動カム機構により中継ブッシュ１７および各クラッチ１５をシフトドラム１３のカム面によることなく後退または進出さ��ることができるようにし、これにより切換用操作体２５が図３および図５（ａ）のように後退した位置においては、中継ブッシュ１７をシフトドラム１３のカム面により進退させることができる状態を維持して、解錠符号の変換が可能な符号変換型として使用することができるようにし、これに反し切換用操作体２５を進出させると、図５（ｂ）のように直動カム機構により中継ブッシュ１７を下方へ後退させると同時にクラッチ１５を一斉にダイヤルリング１０に係合させ、解錠符号の変換が不可能な符号固定型として使用することができる。なお切換用操作体２５を引き出して後退させると、解錠符号の変換が可能な符号変換型として使用することができる。【００２７】  切換用操作体２５はこれをプラスチック製とし、その背部に突縁による頭部を形成して押し引き型の押しボタン２６を設ける。押しボタン２６に近い背部寄りにばね性を有する舌状の係合片２７を外側に常時突出し易い傾向に成形により設け、この係合片２７をすべり軸受２３における阻止部２８に係合するようにした拘束機構を設け、以って図３および図５（ａ）のように後退位置において係合片２７を自体のばね性のもとに外側に突出させて軸受２３における阻止部２８に係合させ、濫りに進出しないように拘束する。符号固定型として使用する場合は、係合片２７をばねに抗して押し込んだまま押しボタン２６を押すことにより、図５（ｂ）のように駆動端２４と受動部２２との直動カム機構の作用のもとに、中継ブッシュ１７を下方へ後退させると同時に各クラッチ１５を後退させる。符号変換型に切り換えるには、押しボタン２６を引き出して図５（ａ）のように後退位置に戻せばよい。なお、切換用操作体２５を引き出した場合の抜け止めのため、切換用操作体２５の側部に軸線方向の溝２９を刻設すると共に、すべり軸受２３には溝２９に係合するピン状の係合片３０を植設するのがよい。【００２８】  切換用操作体２５における拘束機構については、図７のようにすべり軸受２３の側部に孔による阻止部２８を設けると共に、切換用操作体２５にはコイルばね３１の付勢により外方に進出する段付きピン状の係合片２７を前記阻止部２８に対応するように設け、図７（ａ）のように係合片２７が阻止部２８に係合した状態のもとに切換用操作体２５を後退位置に拘束するようにし、切換用操作体２５を進出させるに当っては、解除用ピン３２を用意してこれにより係合片２７をコイルばね３１に抗して退没させた状態のもとに押しボタン２６を押せばよく、図７（ｂ）のように切換用操作体２５を進出させて中継ブッシュ１７を下方へ後退させることができる。なお、すべり軸受２３の側部に設ける阻止部２８については、切換用操作体２５が進出した図７（ｂ）における係合片２７に対応した位置にも設けることにより、進出位置においても拘束することができるようにしてもよい。【００２９】  また、切換用操作体２５における拘束機構については、図７のおける段付きピン状の係合片２７に代えて図８のようにボール状の係合片２７を採択してもよく、阻止部２８についても同様に１個所または２個所設けることができ、解除用ピン３２は不要である。【００３０】  解錠符号を忘れた場合等の非常時に際し、管理人等により非常鍵を使用して解錠することができるように構成しているが、解錠符号は別途探索する必要があり、容易かつ確実な探索操作が望まれる。以下解錠符号の探索のための装備について、図２，図９，図１０を参照しつつ説明する。【００３１】  クラッチ１５の一側端寄りの延長筒部の外周面にキー溝１５ｂに対応した位置に符号探索用の表示３３を設けるのであって、即ち作動軸１１におけるキー片１４とダイヤルリング１０におけるキー溝１５ｂとが合致した状態におけるクラッチ１５の前面位置に、目立つ表示例えば赤色反射体の埋設，蓄光シートの貼付，蓄光塗料の塗布等による表示３３を設けると共に、ケース５におけるフロントカバー５ｂには表示３３の正面付近に切欠きによる表出部３４を開設し、ダイヤルリング１０を回転させつつ表出部３４とキー溝１５ｂとが合致した状態で、ダイヤルリング１０に示される符号が設定されていた解錠符号であり、このように解錠符号を順次探索して解錠符号列を知得することができる。【００３２】  上記表出部３４は符号列を忘れた場合等の非常時に際してのみ管理人等により探索するのであるから、非常時以外に解錠符号が表出されないようにする必要があり、このための手段としては、表示３３と表出部３４との間において進退により開閉自在のシャッタ３５を常時遮蔽状態に設けると共に、必要に応じ開放することができるようにする。シャッタ３５の開閉のための装備としては、操作部３における摘み７に駆動腕３６を突設し、この駆動腕３６の旋回動により連動機構の介在のもとにシャッタ３５を開閉する。なお、図示しないが駆動腕３６に対応した範域に旋回角度を規制するストッパを設けるのがよい。【００３３】  シャッタ３５としては、各クラッチ１５における表示３３の前面を覆うシャッタ板３５ａを基部からホーク状に設けてこれを前記各ダイヤルリング１０に隣接する状態のもとに左右にスライド可能に配設すると共に、基部の適宜箇所にピン状の受動部３７を設け、これに対しシャッタ３５の基部の内方には、シャッタ３５の基部に添う状態に枠状の中継体３８をコイルばね３９，４０により上方へ後退し易い傾向のもとに上下方向へスライド可能に配設すると共に、中継体３８にはシャッタ３５における受動部３７に係合する傾斜溝４１（傾斜長孔でもよい）を設けて受動部３７と傾斜溝４１とにより直動カム機構を構成し、かつ中継体３８の上端付近には受動部４２を前記駆動腕３６の旋回範域に配設し、これら受動部４２および受動部３７と傾斜溝４１とにより直動カム機構による連動機構の介在のもとにシャッタ３５を開閉することができるようにする。【００３４】  図９はシャッタ３５が閉じて表示３３が遮蔽されている状態であって、中継体３８はコイルばね３９，４０により上方へ後退し、シャッタ３５は直動カム機構により左方へ押圧された状態で保たれており、表示３３を目視することはできない。なお、表出部３４の外部から内部のシャッタ板３５ａを強制的にこじ開けようとしても、直動カム機構の傾斜角度が適切であればシャッタ３５を移動させることはできない。【００３５】  管理人等による解錠符号の探索に当っては、施錠状態において、即ち図６（ａ）および図９（ａ）のように、作動軸１１は上方へ進出してその��端がシフトドラム１３の谷部２１ｂに係合したまま、各クラッチ１５は下方へ後退してダイヤルリング１０と係合しており、この状態のもとに、図１０のように、摘み７の鍵孔８に非常鍵を挿入してシフトドラム１３を回転させることなく、掛止片４を固定受部Ｓから離脱させ、かつ摘み７に設けた駆動腕３６により中継体３８における受動部４２を押動すると、シャッタ３５は直動カム機構により右方へ押圧され、シャッタ板３５ａによる遮蔽を解除して表出部３４から内方の表示３３の目視が可能になる。そしてダイヤルリング１０は図６（ａ）のようにクラッチ１５と係合したまま回転が自由であるから、各ダイヤルリング１０の符号を順次にずらしつつ表出部３４に表示３３が現れた時のダイヤルリング１０の符号が解錠符号であり、一連の表示３３が揃った状態が解錠符号列である。【００３６】  設定していた解錠符号が確認できたならば、摘み７を反時計方向に４５度回転させることにより、駆動腕３６による中継体３８の受動部４２への押圧を解除して中継体３８をコイルばね３９，４０により上方へ後退させ、シャッタ３５を遮蔽体制に復元することができる。その後、非常鍵を挿入したまま摘み７を反時計方向に９０度回転すると、ダイヤルリング１０に解錠符号が示された施錠状態となる。【００３７】  シャッタ３５としては、前記形態とは別の構造を採択することができ、即ち図１１のように、シャッタ板３５ａを枢支基部からホーク状に設けてこれを前記各ダイヤルリング１０に隣接する状態のもとに左右に旋回可能に配設すると共に、基部の適切箇所に受動部４２を前記駆動腕３６の旋回範域に配設し、かつ適宜位置に復元用のばね４３を設け、これら駆動腕３６と受動部４２とにより揺動カム機構を構成し、この揺動カム機構の介在のもとにシャッタ３５を開閉するようにしてもよい。
【図面の簡単な説明】
【００３８】
【図１】  本発明のダイヤル錠装置の一実施形態における施錠状態のダイヤル錠装置の正面図である。
【図２】  図１のダイヤル錠装置の横断平面図である。
【図３】  図１のダイヤル錠装置の縦断側面図である。
【図４】  図１のダイヤル錠装置における切換用操作体，中継ブッシュ，クラッチ，ダイヤルリングの斜面図である。
【図５】  図１のダイヤル錠装置の切換用操作体の作用説明図である。
【図６】  図１のダイヤル錠装置の作用説明図であり、（ａ）は施錠状態で、（ｂ）は解錠状態を示す。
【図７】  他の実施形態における切換用操作体の作用説明図である。
【図８】  更に他の実施形態における切換用操作体の作用説明図である。
【図９】  図１のダイヤル錠装置のフロントカバーを外した状態の要部の正面図および側面図である。
【図１０】  解錠符号探索時のシャッタの開放状態を示す図９に対応した要部の正面図および側面図である。
【図１１】  シャッタの他の実施形態を示す斜面図である。
【符号の説明】
【００３９】１      手掛部
２      ダイヤル錠部
３      操作部
４      掛止片
５      ケース
５ａ    手掛付主ケース
５ｂ    フロントカバー
６      開口
７      摘み
８      鍵孔
９      通孔
１０    ダイヤルリング
１０ａ  クラッチ歯
１１    作動軸
１２    コイルばね
１３    シフトドラム
１４    キー片
１５    クラッチ
１５ａ  クラッチ歯
１５ｂ  キー溝
１６    逃げ部
１７    中継ブッシュ
１８    軸受部材
１９    鍔付ブッシュ
２０    コイルばね
２１ａ  谷部
２１ｂ  谷部
２２    受動部
２３    すべり軸受
２４    駆動端
２５    切換用操作体
２６    押しボタン
２７    係合片
２８    阻止部
２９    溝
３０    係合片
３１    コイルばね
３２    解除用ピン
３３    表示
３４    表出部
３５    シャッタ
３５ａ  シャッタ板
３６    駆動腕
３７    受動ピン
３８    中継体
３９    コイルばね，
４０    コイルばね
４１    傾斜溝
４２    受動部
４３    ばね
Ｌ      ロッカー
Ｄ      扉
Ｓ      固定受部
【図１】
2010048072.tif 000003
【図２】
2010048072.tif 000004
【図３】
2010048072.tif 000005
【図４】
2010048072.tif 000006
【図５】
2010048072.tif 000007
【図６】
2010048072.tif 000008
【図７】
2010048072.tif 000009
【図８】
2010048072.tif 000010
【図９】
2010048072.tif 000011
【図１０】
2010048072.tif 000012
【図１１】
2010048072.tif 000013